(57)【特許請求の範囲】
【請求項１】
一方向に貫通し、片方の側から端子が挿入される複数の端子穴と、前記一方向に対する側面に開口を有し、前記開口から前記一方向と交差する方向に延び、前記複数の端子穴に連通する保持穴と、が形成された筐体本体と、
前記保持穴に挿入され、前記複数の端子穴に挿入された前記複数の端子と係合する保持部材と、
前記筐体本体の前記一方向の他方の側に取り付けられ、前記複数の端子穴に対応する複数の端子穴が形成されたカバー部材であって、前記保持穴に挿入され、前記保持穴の前記開口の縁の内側に掛けられる係合片を有するカバー部材と、
を備えることを特徴とするコネクタ。
【請求項２】
前記保持部材は、前記カバー部材の前記係合片に対応する凹部を有する、
請求項１に記載のコネクタ。
【請求項３】
前記保持部材は、前記カバー部材の前記係合片から離れる方向に延びる被押圧部を有する、
請求項１または２に記載のコネクタ。
【請求項４】
前記カバー部材は、前記筐体本体に設けられた複数の係合片と係合する複数の係合片をさらに有する、
請求項１ないし３の何れかに記載のコネクタ。
【請求項５】
前記筐体本体は、前記一方向の他方の側に設けられ、前記各々の端子穴に挿入される前記端子と係合する複数の係合片を有する、
請求項１ないし４の何れかに記載のコネクタ。
【発明の詳細な説明】
【技術分野】
【０００１】
本発明は、コネクタに関し、特には筐体の構造に関する。
【背景技術】
【０００２】
特許文献１には、複数の端子を保持する筐体本体と、筐体本体に取り付けられるカバー部材と、端子の保持力を高めるための保持部材と、を備えるコネクタが開示されている。
【先行技術文献】
【特許文献】
【０００３】
【特許文献１】平５−３４７１６７号公報
【発明の概要】
【発明が解決しようとする課題】
【０００４】
しかしながら、上記従来技術によると、カバー部材が係合するための係合部と、保持部材が挿入される保持穴と、を筐体本体にそれぞれ形成する必要があるため、コネクタの小型化が困難である。また、コネクタを単純に小型化すると、端子の保持力を生じる構成が小さくなるため、十分な保持力を確保できないおそれがある。
【０００５】
本発明は、上記実情に鑑みて為されたものであり、端子の保持力を向上させつつ小型化を図ることが可能なコネクタを提供することを主な目的とする。
【課題を解決するための手段】
【０００６】
上記課題を解決するため、本発明のコネクタは、筐体本体と、保持部材と、カバー部材と、を備える。前記筐体本体には、一方向に貫通し、片方の側から端子が挿入される複数の端子穴と、前記一方向に対する側面に開口を有し、前記開口から前記一方向と交差する方向に延び、前記複数の端子穴に連通する保持穴と、が形成される。前記保持部材は、前記保持穴に挿入され、前記複数の端子穴に挿入された前記複数の端子と係合する。前記カバー部材は、前記筐体本体の前記一方向の他方の側に取り付けられ、前記複数の端子穴に対応する複数の端子穴が形成される。前記カバー部材は、前記保持穴の前記開口の縁に掛けられる係合片を有する。
【０００７】
本発明によると、保持部材が挿入される保持穴が、カバー部材の係合にも利用されるため、コネクタの小型化を図ることが可能である。また、カバー部材の係合片によって、保持部材の抜けが抑制されるため、端子の保持力を向上させることが可能である。
【０００８】
また、本発明の一態様において、前記保持部材は、前記カバー部材の前記係合片に対応する凹部を有する。これによると、カバー部材の係合片が保持部材の凹部に挿入されるので、コネクタの表面の凹凸を抑制することが可能である。
【０００９】
また、本発明の一態様において、前記保持部材は、前記カバー部材の前記係合片から離れる方向に延びる被押圧部を有する。これによると、保持部材を押圧し易くすることが可能である。
【００１０】
また、本発明の一態様において、前記カバー部材は、前記筐体本体に設けられた複数の係合片と係合する複数の係合片をさらに有する。これによると、筐体本体に対するカバー部材の係合をより強固にすることが可能である。
【００１１】
また、本発明の一態様において、前記筐体本体は、前記一方向の他方の側に設けられ、前記各々の端子穴に挿入される前記端子と係合する複数の係合片を有する。これによると、端子の保持力を更に向上させることが可能である。
【図面の簡単な説明】
【００１２】
【図１Ａ】本発明の一実施形態に係るコネクタの斜視図である。
【図１Ｂ】コネクタの分解斜視図である。
【図２Ａ】コネクタに含まれる第１のコネクタの斜視図である。
【図２Ｂ】第１のコネクタの分解斜視図である。
【図３Ａ】第１のコネクタの斜視図である。
【図３Ｂ】第１のコネクタの分解斜視図である。
【図４】第１のコネクタに含まれる筐体本体の側面図である。
【図５】第１のコネクタの断面図である。
【発明を実施するための形態】
【００１３】
本発明のコネクタの実施形態を、図面を参照しながら説明する。
【００１４】
図１Ａ及び図１Ｂは、コネクタ１の斜視図である。図２Ａ及び図２Ｂは、コネクタ１に含まれる第１のコネクタ２の斜視図である。図３Ａ及び図３Ｂは、第１のコネクタ２の別の角度からの斜視図である。図４は、第１のコネクタ２に含まれる筐体本体４の側面図である。図５は、第１のコネクタ２の断面図である。これらの図では、第２のコネクタ３に対する第１のコネクタ２の挿入方向を前方向とし、第１のコネクタ２の筐体本体４のうち、係合片４９が設けられた方向を上方向とする。
【００１５】
図１Ａ及び図１Ｂに示されるように、コネクタ１は、複数のケーブル９２が接続された概略円柱状の第１のコネクタ２と、複数のケーブル９４が接続された概略円筒状の第２のコネクタ３と、を備えている。第２のコネクタ３は、第１のコネクタ２が挿入される後方に向けて開放された挿入穴３ａを有している。第２のコネクタ３の側壁の上部には、第１のコネクタ２の係合片４９と係合する係合穴３ｂが形成されている。また、第２のコネクタ３の内側面の下部には、前後方向に延びるレール部３１が設けられている。
【００１６】
図２Ａ〜図３Ｂに示されるように、第１のコネクタ２は、概略円柱状の筐体本体４と、筐体本体４の前部に取り付けられるカバー部材５と、端子９１（図５を参照）の抜け止めのための保持部材６と、を備えている。これら筐体本体４、カバー部材５及び保持部材６は、絶縁性の樹脂材料で成型されている。
【００１７】
筐体本体４には、軸心方向である前後方向に貫通する複数の端子穴４ａが形成されている。これら端子穴４ａには、後方から端子９１（図５を参照）が挿入される。また、筐体本体４には、側面の下部に開口を有し、開口から上方に延びる保持穴４ｃが形成されている。この保持穴４ｃは、複数の端子穴４ａと連通している。保持穴４ｃは、筐体本体４の前後方向の中央部に形成されており、左右方向に広がった形状を有している。
【００１８】
筐体本体４の上部の左右両側には、前端から後方に延びる溝４２ａが形成されている。これらの溝４２ａの内側には、外側方に突出する係合片４２が設けられている。また、各々の端子穴４ａの下方には、前方に向かうに従って上方に張り出した係合片４７が設けられている（図４及び図５を参照）。
【００１９】
カバー部材５は、前後方向に貫通する複数の端子穴５ａが形成された概略円板状の円板部５１と、円板部５１の縁の上部の左右両側から後方に延びる２つの係合片５２と、円板部５１の縁の下部から後方に延びる顎部５４と、を備えている。複数の端子穴５ａは、筐体本体４に形成された複数の端子穴４ａに対応している。具体的には、各々の端子穴５ａは、カバー部材５が筐体本体４に取り付けられたときに、筐体本体４に形成された各々の端子穴４ａと前後方向に連続するように配置されている。
【００２０】
各々の係合片５２には、前後方向に延びて、後端が閉じられた溝５２ａが形成されている。これら係合片５２は、筐体本体４に設けられた係合片４２と係合する。具体的には、カバー部材５の係合片５２が筐体本体４の溝４２ａに挿入され、係合片５２に形成された溝５２ａに、溝４２ａに設けられた係合片４２が挿入される。
【００２１】
顎部５４の先端部には、内側方に突出する係合片５６が設けられている。この係合片５６は、筐体本体４に形成された保持穴４ｃに係合する（詳細は後述する）。また、顎部５４には、前端から後方に延びるスリット５ｃが形成されている。このスリット５ｃには、上記第２のコネクタ３の内側面に設けられたレール部３１が挿入される。
【００２２】
円板部５１の縁に設けられる合計３つの係合片５２，５６は、円板部５１の中心を基準におおよそ１２０度の角度ごとに配置されている。このため、カバー部材５を筐体本体４に安定的に固定することが可能である。
【００２３】
保持部材６は、概略板状に成形されており、筐体本体４に形成された保持穴４ｃに下方から上方に向けて挿入される。保持部材６は、その上面や、前後方向に貫通する端子穴６ａの下面に、複数の係合部６１を有している。各々の係合部６１は、筐体本体４に形成された複数の端子穴４ａに対応している。保持部材６の下端部には、後方に張り出した被押圧部６３が設けられている。被押圧部６３の後面には、後方に突出した係合片６５が設けられている。また、保持部材６の下端部の前側には、凹部６ｃが形成されている。
【００２４】
図５に示されるように、保持部材６が筐体本体４の保持穴４ｃに挿入されるとき、保持部材６の各々の係合部６１は、筐体本体４に形成された各々の端子穴４ａの下面よりも上方に張り出して、各々の端子穴４ａに挿入された端子９１の基端部に形成された凹部に係合する。これにより、端子穴４ａからの端子９１の抜けが抑制される。また、筐体本体４の前端部に設けられた係合片４７は、各々の端子穴４ａに挿入された端子９１の先端部に係合する。これによっても、端子穴４ａからの端子９１の抜けが抑制される。
【００２５】
カバー部材５の顎部５４に設けられた係合片５６は、保持部材６が挿入された保持穴４ｃの開口の前側の縁部４３に掛けられる。すなわち、係合片５６は、保持穴４ｃの開口付近に挿入され、前側の縁部４３の後面と接触ないし対向する。このとき、係合片５６は、保持部材６の下端部に形成された凹部６ｃに挿入される。
【００２６】
カバー部材５は、下部に設けられた係合片５６が保持穴４ｃの開口の縁部４３に掛けられた後、上部に設けられた２つの係合片５２が筐体本体４の側面の２つの係合片４２と係合することで（または、その逆の順序であってもよい。）、筐体本体４の前部に取り付けられる。
【００２７】
保持部材６の被押圧部６３は、カバー部材５の顎部５４から離れるように後方に延びており、保持穴４ｃの開口の後方に形成された凹部４３ｃ（図４を参照）に挿入される。被押圧部６３の後面に設けられた係合片６５は、凹部４３ｃの後方の凸部４５に形成された係合穴４５ａに係合する。
【００２８】
以上、本発明の実施形態について説明したが、本発明は上記実施形態に限定されるものではなく、種々の変形実施が当業者にとって可能であるのはもちろんである。
【符号の説明】
【００２９】
１  コネクタ、２  第１のコネクタ、３  第２のコネクタ、３ａ  挿入穴、３ｂ  係合穴、３１  レール部、４  筐体本体、４ａ  端子穴、４ｃ  保持穴、４２  係合片、４２ａ  溝、４３  縁部、４３ｃ  凹部、４５  凸部、４５ａ  係合穴、４７  係合片、４９  係合片、５  カバー部材、５ａ  端子穴、５ｃ  スリット、５１  円板部、５２  係合片、５２ａ  溝、５４  顎部、５６  係合片、６  保持部材、６ａ  端子穴、６ｃ  凹部、６１  係合部、６３  被押圧部、６５  係合片、９１  端子、９２  ケーブル、９４  ケーブル。
【図１Ａ】
0005703139.tif 000002
【図１Ｂ】
0005703139.tif 000003
【図２Ａ】
0005703139.tif 000004
【図２Ｂ】
0005703139.tif 000005
【図３Ａ】
0005703139.tif 000006
【図３Ｂ】
0005703139.tif 000007
【図４】
0005703139.tif 000008
【図５】
0005703139.tif 000009